(57)【要約】【課題】アンテナ素子を配置する位置や形状の制約を低減することができる端末装置を提供すること。【解決手段】操作部側筐体部２の内部に配置される第１回路基板４１と、第１回路基板４１上に設けられ、導電性の材料からなる挟持部材４２と、挟持部材４２に挟持されるアンテナ素子４３と、第１回路基板４１上に設けられる給電部４４とを備える。携帯電話装置１は、板金で構成されているアンテナ素子４３を挟持部材４２で挟持して固定する。【選択図】図３
2012074830.tif 000002
【特許請求の範囲】
【請求項１】
筐体と、
前記筐体の内部に配置される第１回路基板と、
前記第１回路基板に設けられ、導電性を有する第１挟持部材と、
前記第１挟持部材に挟持されて前記第１挟持部材と電気的に接続されるアンテナ素子と、
前記第１回路基板に設けられる給電部とを備え、
前記第１挟持部材は、前記給電部と電気的に接続される端末装置。
【請求項２】
前記第１回路基板には、基準電位部が形成されると共に、第２挟持部材が前記第１挟持部材と所定の間隔をおいて配置されており、
前記第２挟持部材は、前記基準電位部に電気的に接続されている請求項１記載の端末装置。
【請求項３】
前記アンテナ素子は、平面形状を有し、一端部と他端部の先端同士が所定の間隔で同一軸上で対向し、かつ、前記同一軸を中心にして前記一端部と前記他端部とが所定の角度で交わって配置されている請求項１記載の端末装置。
【請求項４】
前記筐体の内部に配置され、前記第１回路基板とは異なる第２回路基板と、
前記第２回路基板に設けられる第３挟持部材とを備え、
前記第２回路基板は、前記第１回路基板に対向する位置に配置されており、
前記アンテナ素子は、前記第１挟持部材と、前記第３挟持部材とにより挟持される請求項１記載の端末装置。
【請求項５】
前記アンテナ素子は、平面形状を有し、一端部と他端部の先端同士が所定の間隔により同一軸上で対向し、かつ、前記同一軸を中心にして前記一端部と前記他端部とが所定の角度で交わるように、前記第１挟持部材と、前記第３挟持部材とにより挟持される請求項４記載の端末装置。
【請求項６】
前記第１回路基板とは異なる第３回路基板を備え、
前記筐体は、開状態と閉状態とをとり得るように連結部により連結される第１筐体と第２筐体から構成され、
前記第１回路基板は、前記第１筐体の内部に配置され、
前記第３回路基板は、基準電位部が形成されており、前記第２筐体の内部に配置され、
前記第１回路基板に設けられている前記第１挟持部材により挟持されている前記アンテナ素子は、前記開状態で前記第３回路基板に形成されている前記基準電位部に接触せず、前記閉状態で前記第３回路基板に形成されている前記基準電位部に接触するように構成される請求項１記載の端末装置。
【請求項７】
前記第１回路基板とは異なる第３回路基板を備え、
前記筐体は、開状態と閉状態とをとり得るように連結部により連結される第１筐体と第２筐体から構成され、
前記第１回路基板は、前記第１筐体の内部に配置され、
前記第３回路基板は、基準電位部が形成されており、前記第２筐体の内部に配置され、
前記第１回路基板に設けられている前記第１挟持部材により挟持されている前記アンテナ素子は、前記第３回路基板に形成されている前記基準電位部に対して接触する構成であり、
前記開状態と閉状態とで、前記アンテナ素子において前記基準電位部と接触する位置が異なる請求項１記載の端末装置。
【請求項８】
前記第１回路基板とは異なる第３回路基板を備え、
前記筐体は、開状態と閉状態とをとり得るように連結部により連結される第１筐体と第２筐体から構成され、
前記第１回路基板は、前記第１筐体の内部に配置され、
前記第３回路基板は、基準電位部が形成されており、前記第２筐体の内部に配置され、
前記アンテナ素子は、前記第１回路基板に設けられている前記第１挟持部材により摺動可能に挟持され、
前記アンテナ素子の一端部は、前記第３回路基板上に形成されている前記基準電位部に接続されており、
前記連結部により前記第１筐体と前記第２筐体とが開状態と閉状態との間を遷移する場合に、当該遷移に伴い前記アンテナ素子が摺動し、前記アンテナ素子において前記第１挟持部材により挟持される位置が変化する請求項１記載の端末装置。
【発明の詳細な説明】
【技術分野】
【０００１】
本発明は、アンテナ素子を有し外部機器と通信を行う端末装置に関する。
【背景技術】
【０００２】
端末装置では、内蔵アンテナ型が増えている。このような端末装置では、例えば、リアモールドの内側にアンテナ素子を固定し、回路基板に形成されている給電部とアンテナ素子の一部を接続し、また、回路基板に形成されている基準電位部とアンテナ素子の他の一部を接続することにより、いわゆる逆Ｆアンテナを形成する方法が考案されている（例えば、特許文献１を参照）。
【先行技術文献】
【特許文献】
【０００３】
【特許文献１】特開平１１−１７７３２７号公報
【発明の概要】
【発明が解決しようとする課題】
【０００４】
ところで、このような端末装置は、アンテナ素子がリアモールドに固定される構成であるため、アンテナ素子を配置する位置や形状に制約が生じてしまう。
【０００５】
本発明は、アンテナ素子を配置する場所やアンテナ素子の形状に対する制約を低減することができる端末装置を提供することを一つの目的とする。
【課題を解決するための手段】
【０００６】
本発明に係る端末装置は、上記課題を解決するために、筐体と、前記筐体の内部に配置される第１回路基板と、前記第１回路基板に設けられ、導電性を有する第１挟持部材と、前記第１挟持部材に挟持されて前記第１挟持部材と電気的に接続されるアンテナ素子と、前記第１回路基板に設けられる給電部とを備え、前記第１挟持部材は、前記給電部と電気的に接続される。
【０００７】
また、前記端末装置では、前記第１回路基板には、基準電位部が形成されると共に、第２挟持部材が前記第１挟持部材と所定の間隔をおいて配置されており、前記第２挟持部材は、前記基準電位部に電気的に接続されていても良い。
【０００８】
また、前記端末装置では、前記アンテナ素子は、平面形状を有し、一端部と他端部の先端同士が所定の間隔で同一軸上で対向し、かつ、前記同一軸を中心にして前記一端部と前記他端部とが所定の角度で交わって配置されていても良い。
【０００９】
また、前記端末装置では、前記筐体の内部に配置され、前記第１回路基板とは異なる第２回路基板と、前記第２回路基板に設けられる第３挟持部材とを備え、前記第２回路基板は、前記第１回路基板に対向する位置に配置されており、前記アンテナ素子は、前記第１挟持部材と、前記第３挟持部材とにより挟持されていても良い。
【００１０】
また、前記端末装置では、前記アンテナ素子は、平面形状を有し、一端部と他端部の先端同士が所定の間隔により同一軸上で対向し、かつ、前記同一軸を中心にして前記一端部と前記他端部とが所定の角度で交わるように、前記第１挟持部材と、前記第３挟持部材とにより挟持されていても良い。
【００１１】
また、前記端末装置では、前記第１回路基板とは異なる第３回路基板を備え、前記筐体は、開状態と閉状態とをとり得るように連結部により連結される第１筐体と第２筐体から構成され、前記第１回路基板は、前記第１筐体の内部に配置され、前記第３回路基板は、基準電位部が形成されており、前記第２筐体の内部に配置され、前記第１回路基板に設けられている前記第１挟持部材により挟持されている前記アンテナ素子は、前記開状態で前記第３回路基板に形成されている前記基準電位部に接触せず、前記閉状態で前記第３回路基板に形成されている前記基準電位部に接触するように構成されていても良い。
【００１２】
また、前記端末装置では、前記第１回路基板とは異なる第３回路基板を備え、前記筐体は、開状態と閉状態とをとり得るように連結部により連結される第１筐体と第２筐体から構成され、前記第１回路基板は、前記第１筐体の内部に配置され、前記第３回路基板は、基準電位部が形成されており、前記第２筐体の内部に配置され、前記第１回路基板に設けられている前記第１挟持部材により挟持されている前記アンテナ素子は、前記第３回路基板に形成されている前記基準電位部に対して接触する構成であり、前記開状態と閉状態とで、前記アンテナ素子において前記基準電位部と接触する位置が異なっていても良い。
【００１３】
また、前記端末装置では、前記第１回路基板とは異なる第３回路基板を備え、前記筐体は、開状態と閉状態とをとり得るように連結部により連結される第１筐体と第２筐体から構成され、前記第１回路基板は、前記第１筐体の内部に配置され、前記第３回路基板は、基準電位部が形成されており、前記第２筐体の内部に配置され、前記アンテナ素子は、前記第１回路基板に設けられている前記第１挟持部材により摺動可能に挟持され、前記アンテナ素子の一端部は、前記第３回路基板上に形成されている前記基準電位部に接続されており、前記連結部により前記第１筐体と前記第２筐体とが開状態と閉状態との間を遷移する場合に、当該遷移に伴い前記アンテナ素子が摺動し、前記アンテナ素子において前記第１挟持部材により挟持される位置が変化していても良い。
【発明の効果】
【００１４】
本発明によれば、アンテナ素子を配置する場所やアンテナ素子の形状に対する制約を低減することができる。
【図面の簡単な説明】
【００１５】
【図１】本発明に係る携帯電話装置がスライドダウン状態（閉状態）のときの外観斜視図を示す。
【図２】本発明に係る携帯電話装置がスライドアップ状態（開状態）のときの外観斜視図を示す。
【図３】本発明に係る携帯電話装置の第１の構成を示す図である。
【図４】アンテナ素子の安定性を向上する構成についての説明に供する図である。
【図５】アンテナ素子の形状についての説明に供する図である。
【図６】アンテナ素子の形状についての説明に供する図である。
【図７】本発明に係る携帯電話装置の第２の構成を示す図である。
【図８】本発明に係る携帯電話装置の第３の構成を示す図である。
【図９】本発明に係る携帯電話装置の第４の構成を示す図である。
【図１０】本発明に係る携帯電話装置の第５の構成を示す図である。
【図１１】本発明に係る携帯電話装置の第６の構成を示す図である。
【図１２】本発明に係る携帯電話装置の第７の構成を示す図である。
【図１３】本発明に係る携帯電話装置の第８の構成を示す図である。
【発明を実施するための形態】
【００１６】
以下、本発明の実施の形態について説明する。図１及び図２は、本発明に係る端末装置の一例である携帯電話装置１の外観斜視図を示す。また、本実施の形態では、携帯電話装置１について説明するが、本発明は携帯電話装置に限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１７】
携帯電話装置１は、操作部側筐体部２（第１の筐体）と、表示部側筐体部３（第２の筐体）と、を備えて構成される。操作部側筐体部２は、表面部１０に、操作キー群１１と、携帯電話装置１の使用者が通話時に発した音声が入力されるマイク１２を備えて構成される。操作キー群１１は、電話番号の数字やメール等の文字等を入力するための入力操作ボタンにより構成されている。
【００１８】
また、表示部側筐体部３は、表面部２０に、各種情報を表示するためのディスプレイ２１と、通話の相手側の音声を出力する音声出力部２２と、各種操作における決定やスクロール等を行う決定操作ボタン２３から構成されている。
【００１９】
なお、携帯電話装置１は、上述した以外にも他の構成要素により構成されている。他の構成要素は、例えば、被写体を撮像するＣＣＤ（Ｃｈａｒｇｅ  Ｃｏｕｐｌｅｄ  Ｄｅｖｉｃｅ）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ等により構成される撮像部や、音楽等を外部に出力するスピーカ等である。
【００２０】
また、操作部側筐体部２の上端部と表示部側筐体部３の下端部とは、スライド機構を有する連結部を介して連結されている。したがって、携帯電話装置１は、操作部側筐体部２と表示部側筐体部３を互いに重ね合わせ、表示部側筐体部３で操作部側筐体部２の上面を覆う状態（スライドダウン状態であって、以下、閉状態という。）、及び（図１を参照。）、表示部側筐体部３を操作部側筐体部２に対して長手方向へスライドさせて操作部側筐体部２の覆われていた部分（操作キー群１１とマイク１２）が露出する状態（スライドアップ状態であって、以下、開状態という。）に自在に遷移することができる（図２を参照。）。
【００２１】
なお、図１及び図２は、スライド式の携帯電話装置の形態を示しているが、本発明に係る携帯電話装置の形態としては特にこれに限られず、例えば、折り畳み式等であっても実現可能である。
【００２２】
そして、本実施形態に係る携帯電話装置１では、従来に比して、アンテナ素子を配置する場所やアンテナ素子の形状に対する制約を低減することが可能な構成になっている。以下に、具体的な構成について説明する。
【００２３】
携帯電話装置１は、図３（ａ）に示すように、筐体（例えば、操作部側筐体部２）の内部に配置される第１回路基板４１と、第１回路基板４１上に設けられ、導電性の材料からなる挟持部材４２と、挟持部材４２に挟持されるアンテナ素子４３と、第１回路基板４１に設けられる給電部４４とを備える。挟持部材４２は、給電部４４と電気的に接続される。
【００２４】
挟持部材４２は、信号処理部４１ｂと整合回路部４１ａが接続されているＲＦ信号線路Ａ上に配置されており、金属状のクリップが実装できるパッドを第１回路基板４１上に設け、そのパッド上にクリップ形状の板金を実装することにより構成されている。携帯電話装置１は、板金で構成されているアンテナ素子４３を挟持部材４２で挟持して固定する。
【００２５】
また、第１回路基板４１は、図３（ｂ）に示すように、給電部４４に接続され、インピーダンス整合を行う整合回路部４１ａと、所定の信号処理を行う信号処理部４１ｂ等を有している。
【００２６】
携帯電話装置１は、送信時には、信号処理部４１ｂで信号処理した信号を整合回路部４１ａでインピーダンス整合し、給電部４４、挟持部材４２及びアンテナ素子４３を介して所定の周波数の信号を基地局に送信する。
【００２７】
また、携帯電話装置１は、受信時には、アンテナ素子４３で電波を受信し、高周波信号に変換し、挟持部材４２、給電部４４及び整合回路部４１ａを介して信号処理部４１ｂに供給する。
【００２８】
また、携帯電話装置１は、アンテナ素子４３を従来型のようにモールド樹脂に固定せずに、単に挟持部材４２に挟み込む構造であるため、シンプルな構造にすることができ、従来型に比して低コスト化を図ることができ、かつ、アンテナ素子４３を組み込む際の工数を削減することができる。
【００２９】
また、アンテナ素子４３の周辺の構成は、本発明の趣旨を逸脱しない範囲で自由に構成することができ、例えば、図４に示すように、アンテナ素子４３を安定的に固定するために、挟持部材４２を複数配置する構成であっても良い。
【００３０】
図４では、挟持部材（以下、給電用挟持部材という。）４２ａと挟持部材（以下、固定用挟持部材という。）４２ｂの２個の挟持部材が配置されている構成例を示している。また、給電用挟持部材４２ａは、給電部４４に接続され、固定用挟持部材４２ｂは、第１回路基板４１上のＧＮＤ（基準電位部）等に接続されておらず、独立して構成されている。
【００３１】
このような構成によれば、携帯電話装置１は、モノポールアンテナとしての性能を劣化させることなく、アンテナ素子４３を複数の挟持部材で安定的に挟持することができる。
【００３２】
また、携帯電話装置１は、さらにアンテナの安定性を確保するために、第１回路基板４１を筐体内部に配置して組み立てたときに、アンテナ素子４３を補強するように第１回路基板４１を収納するケースに立設されているリブをアンテナ素子４３に当接させる構成であっても良い。
【００３３】
また、携帯電話装置１は、図５（ａ）、（ｂ）に示すように、給電用挟持部材４２ａと、固定用挟持部材４２ｂとを平面上でずらして（すなわち、第１回路基板４１の平面視で給電用挟持部材４２ａと固定用挟持部材４２ｂとが所定の角度で交わるように）配置することによって、アンテナ素子４３の形状に屈曲面（いわゆるＣ面）を設けることが可能となり、例えば、携帯電話装置１の内部に配置される金属部材から離間させることができ、さらに良好なアンテナ特性を得ることができる。
【００３４】
図５（ａ）、（ｂ）に示す例では、携帯電話装置１は、アンテナ素子４３の先端部分を屈曲させ、その屈曲させた先端部分を固定用挟持部材４２ｂにより挟持する。
【００３５】
さらに、携帯電話装置１は、図６に示すように、第１回路基板４１の裏面（給電部４４が設けられていない面）にも固定用挟持部材４２ｂを配置する構成であっても良い。このようにして、携帯電話装置１は、アンテナ素子４３の形状にさらなる選択性を広げ、良好なアンテナ特性を得ることができる。
【００３６】
また、従来型では、端末装置の外観ケースの形状により樹脂モールドの形状が決まるので、アンテナ素子を配置できる場所に制約が発生していた。しかし、本実施例に係る携帯電話装置１は、上述したように、携帯電話装置１の構造に合わせてアンテナ素子４３の形状を比較的自由に形成することが可能となるためアンテナ素子４３の形状に制約が生じにくいというメリットがある。
【００３７】
また、携帯電話装置１は、図７に示すように、第１回路基板４１上に、基準電位部４５が形成されると共に、挟持部材４２が少なくとも２個所定の間隔で配置される構成であっても良い。このような構成では、第１挟持部材（以下、給電用挟持部材という。）４２ａは、給電部４４に電気的に接続される。また、第２挟持部材（以下、ＧＮＤ用挟持部材という）４２ｃは、基準電位部４５に電気的に接続される。
【００３８】
このようにして、携帯電話装置１は、ＧＮＤ用挟持部材４２ｃが基準電位部４５に接続されることによって、いわゆる逆Ｆアンテナを構成することができる。
【００３９】
また、携帯電話装置１では、ＧＮＤ用挟持部材４２ｃを配置する位置を変更して給電用挟持部材４２ａとＧＮＤ用挟持部材４２ｃとの間の距離を変えることで、アンテナの共振周波数を調整することができる。
【００４０】
また、アンテナ素子４３は、図８（ｂ）に示すように、平面形状を有し、一端部４３ａと他端部４３ｂの先端同士が所定の間隔により同一軸上で対向し、かつ、同一軸を中心にして一端部４３ａと他端部４３ｂとが所定の角度で交わって配置されていても良い。
【００４１】
ここで、携帯電話装置１は、一本のアンテナ素子４３を利用することにより、異なる複数の周波数帯（例えば、８００ＭＨｚ帯と、２ＧＨｚ帯）の信号を送受信することが可能である。携帯電話装置１は、図８（ａ）に示す構成の場合には、挟持部材４２により挟持される部分から一端部４３ａによって形成される長いエレメントにより、８００ＭＨｚ帯の信号を送受信し、挟持部材４２により挟持される部分から他端部４３ｂによって形成される短いエレメントにより、２ＧＨｚ帯の信号を送受信することができる。
【００４２】
しかしながら、携帯電話装置１は、アンテナ素子４３の両端部が同一軸を中心にして同一角度に向き合っていると（図８（ａ）を参照）、長いエレメントと短いエレメントの間で結合が発生し、良好な通信を行うことができなくなってしまう。この結合を避けるために、携帯電話装置１は、アンテナ素子４３の長さや形状の変更を行う必要があり、コストがかかってしまう。
【００４３】
そこで、本実施例に係る携帯電話装置１は、図８（ｂ）に示すように、アンテナ素子４３の一端部４３ａと他端部４３ｂの先端同士が所定の間隔により同一軸上で対向し、かつ、同一軸を中心にして一端部４３ａと他端部４３ｂとが所定の角度で交わって配置されることによって、一端部４３ａと他端部４３ｂの結合を低減できるため、アンテナ素子４３の長さや形状の変更を不要にしている。なお、所定の角度は、図８（ｂ）に示す構成例では、９０度であるが、これに限られない。
【００４４】
このようにして、携帯電話装置１は、エレメント同士の結合を避けるように、例えば、エレメント同士を直交して配置することができ、異なる複数の周波数帯において良好な特性を得ることができる。
【００４５】
また、携帯電話装置１は、図９に示すように、筐体（例えば、操作部側筐体部２）の内部に配置され、第１回路基板４１とは異なる第２回路基板５１と、第２回路基板５１上に設けられ、第１挟持部材４２ａとは異なる第３挟持部材４２ｄとを備えていても良い。このような構成の場合には、第２回路基板５１は、第１回路基板４１に対向する位置に所定のクリアランスを設けて配置される。また、アンテナ素子４３は、第１回路基板４１上に設けられている第１挟持部材４２ａと、第２回路基板５１上に設けられている第３挟持部材４２ｄとにより挟持される。
【００４６】
ここで、携帯電話装置１は、例えば、第１回路基板４１をメイン基板（ＣＰＵ等が搭載され、基本的な処理を行う部品を搭載している基板）として利用し、第２回路基板５１をサブ基板（例えば、カメラユニット等を搭載している基板）として利用することが考えられる。
【００４７】
このようにして、携帯電話装置１は、メイン基板とサブ基板との間が所定のクリアランスを設けて配置されている場合において、このクリアランスにアンテナ素子４３を配置することができるので、クリアランスの有効活用を図ることができる。
【００４８】
また、携帯電話装置１は、メイン基板に対向するサブ基板に第３挟持部材４２ｄを実装することにより、アンテナ素子４３を上方向と下方向で挟み込むことが可能となり、アンテナ素子４３の安定性を向上させることができる。
【００４９】
また、携帯電話装置１は、図９に示すような筐体（例えば、操作部側筐体部２）の内部に配置され、第１回路基板４１とは異なる第２回路基板５１と、第２回路基板５１上に設けられ、第１挟持部材４２ａとは異なる第３挟持部材４２ｄとを備える構成において、図１０に示すように、アンテナ素子４３が平面形状を有し、一端部４３ａと他端部４３ｂの先端同士が所定の間隔により同一軸上で対向し、かつ、同一軸を中心にして一端部４３ａと他端部４３ｂとが所定の角度で交わるように、第１挟持部材４２ａと、第３挟持部材４２ｄとにより挟持される構成であっても良い。
【００５０】
このようにして、携帯電話装置１は、第３挟持部材４２ｄが第２回路基板５１の平面方向に向くように配置するので、アンテナ素子４３の他端部４３ｂが一端部４３ａに対して垂直方向に形成されている場合において、図１０に示すように、他端部４３ｂを挟持することができる。
【００５１】
よって、携帯電話装置１は、アンテナ素子４３の一端部４３ａと他端部４３ｂとの間で生じる結合を回避するために他端部４３ｂを一端部４３ａに対して直交するように折り曲げられていても、第３挟持部材４２ｄにより他端部４３ｂを固定することができるので、アンテナ素子４３の物理的安定性を確保したまま、基板間のクリアランスの有効活用が行え、かつ良好なアンテナ特性を得ることができる。なお、第２回路基板５１は、所定形状のアンテナパターンを形成し、当該アンテナパターンと第３挟持部材４２ｄを電気的に接続するような構成であっても良い。このような構成の場合には、携帯電話装置１は、アンテナ素子４３の長さを当該アンテナパターンにより延長することができる。
【００５２】
ここで、従来の携帯電話装置は、回路基板に形成されている基準電位部をアンテナの接地（ＧＮＤ）として利用している。また、携帯電話装置は、第１回路基板を有する操作部側筐体部と、第３回路基板を有する表示部側筐体部とが連結部により連結されてなる構成（スライドタイプ等）の場合、開状態（スライドアップ）にしたときと閉状態（スライドダウン）にしたときにおいて、ＧＮＤの形状が高周波的に変わってしまうことがある。この場合には、携帯電話装置は、開状態と閉状態との間の変化に伴ってアンテナ特性も変動してしまう。
【００５３】
本実施例に係る携帯電話装置１は、形態の変化に応じて、アンテナ素子４３をスライドさせることによりインピーダンス調整を行う構成を採用した。よって、本実施例に係る携帯電話装置１は、形態が変化しても、良好なアンテナ特性を得ることができる。以下に、具体的な構成例について説明する。
【００５４】
携帯電話装置１は、図１１に示すように、第１回路基板４１とは異なる第３回路基板６１を備える。上述したように、携帯電話装置１（筐体）は、開状態と閉状態とをとり得るように連結部（不図示）により連結される操作部側筐体部２（第１筐体）と表示部側筐体部３（第２筐体）から構成されている。
【００５５】
図１１に示す構成では、第１回路基板４１は、操作部側筐体部２の内部に配置されている。また、第３回路基板６１は、基準電位部４５が形成されており、表示部側筐体部３の内部に配置されている。また、第１回路基板４１上に設けられている挟持部材４２により挟持されているアンテナ素子４３は、開状態と閉状態との間の移動に伴って挟持部材４２により挟持されながら摺動し、開状態で第３回路基板６１上に形成されている基準電位部４５に接触せず、閉状態で第３回路基板６１上に形成されている基準電位部４５に接触するように構成されている。
【００５６】
例えば、携帯電話装置１は、開状態にしたときには、アンテナ素子４３を非接地状態に切り替えることにより（図１１（ａ））、モノポールアンテナ（逆Ｌ字のアンテナ）として機能し、閉状態にしたときには、アンテナ素子４３を接地状態に切り替えることにより（１１（ｂ））、逆Ｆアンテナとして機能させることができる。
【００５７】
なお、携帯電話装置１は、開状態にしたときと、閉状態にしたときとでアンテナ素子４３の接地状態を切り替えることができれば、どのような構成であっても良い。
【００５８】
このようにして携帯電話装置１は、開状態と閉状態との間の変化に伴ってアンテナ構成を適宜切り替えることができるので、開状態及び閉状態のそれぞれに適したアプリケーションと連携させることにより、アンテナ構成の変化を好適に利用することができる。
【００５９】
また、携帯電話装置１は、図１２に示すように、第１回路基板４１とは異なる第３回路基板６１を備える。上述したように、携帯電話装置１（筐体）は、開状態と閉状態とをとり得るように連結部により連結される操作部側筐体部２（第１筐体）と表示部側筐体部３（第２筐体）から構成されている。
【００６０】
図１２に示す構成では、第１回路基板４１は、操作部側筐体部２の内部に配置されている。第３回路基板６１は、基準電位部４５が形成されており、表示部側筐体部３の内部に配置されている。第１回路基板４１上に設けられている挟持部材４２により挟持されているアンテナ素子４３は、第３回路基板６１上に形成されている基準電位部４５に対して接触する構成であり、開状態と閉状態との間の移動に伴ってアンテナ素子４３が挟持部材４２により挟持されながら摺動し、開状態と閉状態とで、アンテナ素子４３において基準電位部４５と接触する位置が異なるように構成されている。
【００６１】
例えば、携帯電話装置１は、開状態及び閉状態の双方で逆Ｆアンテナを構成するが、開状態にしたときには、接地位置からアンテナ素子４３の一端部４３ａまでの距離が短くなる、すなわち、給電位置から接地位置までの距離が長くなるように構成し（図１２（ａ））、閉状態にしたときには、接地位置からアンテナ素子４３の一端部４３ａまでの距離が長くなる、すなわち、給電位置から接地位置までの距離が短くなるように構成する（図１２（ｂ））。
【００６２】
このようにして携帯電話装置１は、開状態と閉状態とで逆Ｆアンテナの接地位置を変えることによって、共振周波数を変化させることができるので、開状態と閉状態とで最適なアンテナ特性を得ることができる。
【００６３】
また、携帯電話装置１は、図１３に示すように、第１回路基板４１とは異なる第３回路基板６１を備える。上述したように、携帯電話装置１（筐体）は、開状態と閉状態とをとり得るように連結部により連結される操作部側筐体部２（第１筐体）と表示部側筐体部３（第２筐体）から構成されている。第１回路基板４１は、操作部側筐体部２の内部に配置されている。第３回路基板６１は、基準電位部４５が形成されており、表示部側筐体部３の内部に配置されている。
【００６４】
図１３に示す構成では、アンテナ素子４３は、第１回路基板４１上に設けられている挟持部材４２により摺動可能に挟持されている。また、アンテナ素子４３の一端部４３ａは、第３回路基板６１上に形成されている基準電位部４５に接続されている。また、携帯電話装置１は、連結部により操作部側筐体部２と表示部側筐体部３とが開状態と閉状態との間を遷移する場合に、当該遷移に伴いアンテナ素子４３が摺動し、アンテナ素子４３において挟持部材４２により挟持される位置が変化する。
【００６５】
例えば、携帯電話装置１は、開状態及び閉状態の双方で逆Ｆアンテナを構成するが、開状態にしたときには、給電位置からアンテナ素子４３の他端部４３ｂまでの距離が長くなるように構成し（図１３（ａ））、閉状態にしたときには、給電位置からアンテナ素子４３の他端部４３ｂまでの距離が短くなるように構成する（図１３（ｂ））。
【００６６】
このようにして携帯電話装置１は、開状態と閉状態とで挟持部材４２による挟持位置が変化する、すなわち給電部４４による給電位置が変化するので、共振周波数を変化させることができ、開状態と閉状態とで最適なアンテナ特性を得ることができる。
【００６７】
なお、図１１から図１３に示す構成においては、表示部側筐体部３に配置される第３回路基板６１に基準電位部４５が形成され、挟持部材４２に挟持されたアンテナ素子４３が基準電位部４５に電気的に接続される構成であるが、本発明はこれに限定されない。例えば、表示部側筐体部３に配置される表示部を固定するための板金部材が基準電位部４５に電気的に接続され、アンテナ素子４３が当該板金部材に電気的に接続される構成であっても良いし、基準電位部４５に電気的に接続される部材が操作部側筐体部２に配置されていても良い。
【符号の説明】
【００６８】
１  携帯電話装置
２  操作部側筐体部
３  表示部側筐体部
４１  第１回路基板
４２  挟持部材
４３  アンテナ素子
４４  給電部
４５  基準電位部
５１  第２回路基板
６１  第３回路基板
【図１】
2012074830.tif 000003
【図２】
2012074830.tif 000004
【図３】
2012074830.tif 000005
【図４】
2012074830.tif 000006
【図５】
2012074830.tif 000007
【図６】
2012074830.tif 000008
【図７】
2012074830.tif 000009
【図８】
2012074830.tif 000010
【図９】
2012074830.tif 000011
【図１０】
2012074830.tif 000012
【図１１】
2012074830.tif 000013
【図１２】
2012074830.tif 000014
【図１３】
2012074830.tif 000015